(57)【要約】【課題】正面からの視認性と側面からの視認性との差を減らし、液晶表示装置の画質を向上させることである。【解決手段】複数の画素を備える表示装置を駆動する装置であって、外部からの入力画像データの入力階調に基づいて複数の出力階調を選択し、該当出力階調を有する複数の出力画像データを送るデータ処理部と、前記データ処理部からの前記出力画像データに対応するデータ電圧を前記画素に印加するデータ駆動部とを有し、前記複数の出力階調は、平均正面透過率が前記入力階調の正面透過率と実質的に同じである少なくとも一つの階調群のうち、平均側面ガンマ曲線を正面ガンマ曲線に最も近接させる組み合わせである。【選択図】図６
2006011427.tif 000002
【特許請求の範囲】
【請求項１】
複数の画素を備える表示装置を駆動する装置であって、
外部からの入力画像データの入力階調に基づいて複数の出力階調を選択し、該当出力階調を有する複数の出力画像データを送るデータ処理部と、
前記データ処理部からの前記出力画像データに対応するデータ電圧を前記画素に印加するデータ駆動部とを有し、
前記複数の出力階調は、平均正面透過率が前記入力階調の正面透過率と実質的に同じである少なくとも一つの階調群のうち、平均側面ガンマ曲線を正面ガンマ曲線に最も近接させる組み合わせであることを特徴とする表示装置の駆動装置。
【請求項２】
前記各画素は、複数の副画素を含み、前記データ処理部は、前記出力画像データを前記副画素にそれぞれ割り当てることを特徴とする請求項１に記載の表示装置の駆動装置。
【請求項３】
前記副画素は、横方向に配列されていることを特徴とする請求項２に記載の表示装置の駆動装置。
【請求項４】
前記副画素は、縦方向に配列されていることを特徴とする請求項２に記載の表示装置の駆動装置。
【請求項５】
前記出力階調は、前記入力階調より大きい値を有する上位出力階調と、前記入力階調より小さい値を有する下位出力階調とを含み、前記出力画像データは、前記上位出力階調を有する上位出力画像データと、前記下位出力階調を有する下位出力画像データとを含むことを特徴とする請求項１に記載の表示装置の駆動装置。
【請求項６】
複数の階調電圧を生成する階調電圧生成部をさらに有し、前記データ駆動部は、前記複数の階調電圧の中から前記出力画像データに対応する複数の階調電圧を選択し、前記データ電圧として前記画素に印加することを特徴とする請求項１に記載の表示装置の駆動装置。
【請求項７】
前記出力画像データのフレーム周波数は、前記入力画像データのフレーム周波数の２倍であることを特徴とする請求項１又は５に記載の表示装置の駆動装置。
【請求項８】
前記データ電圧は、前記下位出力画像データに対応する下位階調電圧である下位データ電圧と、前記上位出力画像データに対応する上位階調電圧である上位データ電圧とを含むことを特徴とする請求項１又は５に記載の表示装置の駆動装置。
【請求項９】
前記下位データ電圧または前記上位データ電圧が連続して印加され、各フレーム毎に極性が反転することを特徴とする請求項８に記載の表示装置の駆動装置。
【請求項１０】
前記下位データ電圧と前記上位データ電圧が交互に印加され、２フレーム毎に極性が反転することを特徴とする請求項８に記載の表示装置の駆動装置。
【請求項１１】
前記入力階調と前記出力階調の対応関係を記憶するルックアップテーブルをさらに有することを特徴とする請求項１乃至請求項１０のいずれか一項に記載の表示装置の駆動装置。
【請求項１２】
前記データ処理部は、前記入力画像データのフレーム周波数と前記出力画像データのフレーム周波数の比率によって前記入力画像データの透過率を時間平均して時間平均透過率を求め、前記時間平均透過率に該当する補正階調を求めた後、前記補正階調に基づいて前記出力階調を算出することを特徴とする請求項１に記載の表示装置の駆動装置。
【請求項１３】
前記補正階調と前記出力階調の対応関係を記憶するルックアップテーブルをさらに有することを特徴とする請求項１２に記載の表示装置の駆動装置。
【請求項１４】
ｋ番目区間において、前記時間平均透過率（Ｓｋ’）は、下記の数式１であることを特徴とする請求項１２に記載の表示装置の駆動装置。
【数１】
2006011427.tif 000016
ここで、ｋ＝１、２、・・・であり、ｋ番目区間は、前記入力画像データのフレームの開始と前記出力画像データのフレームの開始が一致する時点から次の一致する時点までの範囲内のｋ番目区間であり、ｋ番目区間の長さは、前記出力画像データの２フレームの区間であって、ｘ＝２ｐ／ｑであり（ここで、ｐとｑは、各々入力画像データのフレーム周波数と出力画像データのフレーム周波数を比率で示したものである。）、Ｓｋは、前記入力画像データのフレームの開始と前記出力画像データのフレームの開始が一致する時点からｋ番目フレームの入力画像データの透過率である。
【請求項１５】
ルックアップテーブルを有する表示装置を駆動する方法であって、
入力階調を有する画像データを読み出す段階と、
前記入力階調の透過率を所定時間平均して補正階調を求める段階と、
前記補正階調に対応する複数の出力階調を前記ルックアップテーブルから呼び出す段階と、
前記複数の出力階調を有する複数の出力画像データを出力する段階とを有することを特徴とする表示装置の駆動方法。
【請求項１６】
前記補正階調を算出する段階は、
前記入力階調をガンマ変換して対応する前記入力階調の透過率を求める段階と、
前記入力階調の透過率を時間平均して時間平均透過率を求める段階と、
前記時間平均透過率を逆ガンマ変換して補正階調を求める段階とを有することを特徴とする請求項１５に記載の表示装置の駆動方法。
【請求項１７】
ｋ番目区間において、前記時間平均透過率（Ｓｋ’）は、下記の数式２であることを特徴とする請求項１６に記載の表示装置の駆動方法。
【数２】
2006011427.tif 000017
ここで、ｋ＝１、２、・・・であり、ｋ番目区間は、前記入力画像データのフレームの開始と前記出力画像データのフレームの開始が一致する時点から次の一致する時点までの範囲内のｋ番目区間であり、ｋ番目区間の長さは、前記出力画像データの２フレームの区間であって、ｘ＝２ｐ／ｑであり（ここで、ｐとｑは、各々入力画像データのフレーム周波数と出力画像データのフレーム周波数を比率で示したものである。）、Ｓｋは、前記入力画像データのフレームの開始と前記出力画像データのフレームの開始が一致する時点からｋ番目フレームの入力画像データの透過率である。
【請求項１８】
スイッチング素子をそれぞれ備える複数の画素と、
前記スイッチング素子にゲート信号を伝達する複数のゲート線と、
前記スイッチング素子に接続された複数のデータ線と、
外部からの入力画像データの入力階調に基づいて複数の出力階調を選択し、該当出力階調を有する複数の出力画像データを送る信号制御部と、
前記信号制御部からの前記出力画像データに対応するデータ電圧を前記データ線を通じて前記スイッチング素子に印加するデータ駆動部とを有し、
前記複数の出力階調は、平均正面透過率が前記入力階調の正面透過率と実質的に同じである少なくとも一つの階調群のうち、平均側面ガンマ曲線を正面ガンマ曲線に最も近接させる組み合わせであることを特徴とする表示装置。
【請求項１９】
前記各画素は、横方向に配列され前記スイッチング素子をそれぞれ備える複数の副画素を含み、前記副画素は、一つの入力階調に対する前記複数のデータ電圧がそれぞれ印加されることを特徴とする請求項１８に記載の表示装置。
【請求項２０】
前記信号制御部は、前記入力階調と出力階調の対応関係を記憶するルックアップテーブルを有することを特徴とする請求項１８に記載の表示装置。
【請求項２１】
前記信号制御部は、前記入力画像データのフレーム周波数と前記出力画像データのフレーム周波数の比率によって前記入力画像データの透過率を時間平均して時間平均透過率を求め、前記時間平均透過率に該当する補正階調を求めた後、前記補正階調に基づいて前記出力階調を算出することを特徴とする請求項１８に記載の表示装置。
【請求項２２】
前記信号制御部は、前記補正階調と出力階調の対応関係を記憶するルックアップテーブルを有することを特徴とする請求項２１に記載の表示装置。
【請求項２３】
ｋ番目区間において、前記時間平均透過率（Ｓｋ’）は、下記の数式３であることを特徴とする請求項２１に記載の表示装置。
【数３】
2006011427.tif 000018
ここで、ｋ＝１、２、・・・であり、ｋ番目区間は、前記入力画像データのフレームの開始と前記出力画像データのフレームの開始が一致する時点から次の一致する時点までの範囲内のｋ番目区間であり、ｋ番目区間の長さは、前記出力画像データの２フレームの区間であって、ｘ＝２ｐ／ｑであり（ここで、ｐとｑは、各々入力画像データのフレーム周波数と出力画像データのフレーム周波数を比率で示したものである。）、Ｓｋは、前記入力画像データのフレームの開始と前記出力画像データのフレームの開始が一致する時点からｋ番目フレームの入力画像データの透過率である。
【発明の詳細な説明】
【技術分野】
【０００１】
本発明は表示装置の駆動装置及びその駆動方法、並びに表示装置に関し、特に、正面からの視認性と側面からの視認性との差を減らすことのできる表示装置の駆動装置及びその駆動方法、並びに表示装置に関する。
【背景技術】
【０００２】
一般の液晶表示装置（ＬＣＤ）は、画素電極及び共通電極が具備された二つの表示板と、その間に入っている誘電率異方性（ｄｉｅｌｅｃｔｒｉｃ  ａｎｉｓｏｔｒｏｐｙ）を有する液晶層とを含む。画素電極は、行列状に配列され、薄膜トランジスタ（ＴＦＴ）などのスイッチング素子に接続され一行ずつ順にデータ電圧の印加を受ける。共通電極は、画素電極と異なる表示板または同じ表示板に具備されて共通電圧の印加を受ける。画素電極と共通電極及びその間の液晶層は、回路的には液晶キャパシタをなし、液晶キャパシタは、これに接続されたスイッチング素子と共に画素をなす基本単位となる。
上記のような液晶表示装置において、二つの電極に電圧を印加して液晶層に電界を生成し、該電界の強度を調節して液晶層を通過する光の透過率を調節することによって所望の画像を得る。
【０００３】
上記液晶表示装置、特に垂直電界を用いる液晶表示装置の場合、視野角によって液晶の光学位相遅延（ｏｐｔｉｃａｌ  ｐｈａｓｅ  ｒｅｔａｒｄａｔｉｏｎ）が変化し、正面からの光透過率特性が側面からの光透過率特性と異なるため、正面からの視認性特性と側面からの視認性特性において差が生じる。
例えば、液晶表示装置において、各階調毎に光透過率を測定すると、低階調の時には側面に行くほど光透過率が増加するのに対し、高階調の時には側面に行くほど光透過率が減少する。このように、視野角による光透過率の差によって、側面に行くほど各階調間の透過率の差が減少し視認性が悪化する。
側面からの視認性減少を抑えるため、一つの画素を二つの副画素に分割し、副画素の液晶キャパシタをキャパシタに接続したり、二つのうちの一つの副画素に固定された電圧を周期的に印加することによって、二つの液晶キャパシタに充電される電圧を異ならせて視認性を向上させる方法が提案された（例えば、特許文献１参照）。
【０００４】
しかしながら、上記方法では、二つの液晶キャパシタに充電される電圧の比率が様々なキャパシタの容量に応じて定められるため、各階調に合った電圧を印加することができず、視認性改善に限界が生じるという問題点があった。
【０００５】
【特許文献１】特開平０６−３３２００９号公報
【発明の開示】
【発明が解決しようとする課題】
【０００６】
そこで、本発明は上記従来の表示装置の駆動装置及びその駆動方法、並びに表示装置における問題点に鑑みてなされたものであって、本発明の目的は、正面からの視認性と側面からの視認性との差を減らし、液晶表示装置の画質を向上させることにある。
【課題を解決するための手段】
【０００７】
上記目的を達成するためになされた本発明による表示装置の駆動装置は、複数の画素を備える表示装置を駆動する装置であって、外部からの入力画像データの入力階調に基づいて複数の出力階調を選択し、該当出力階調を有する複数の出力画像データを送るデータ処理部と、前記データ処理部からの前記出力画像データに対応するデータ電圧を前記画素に印加するデータ駆動部とを有し、前記複数の出力階調は、平均正面透過率が前記入力階調の正面透過率と実質的に同じである少なくとも一つの階調群のうち、平均側面ガンマ曲線を正面ガンマ曲線に最も近接させる組み合わせであることを特徴とする。
【０００８】
前記各画素は、複数の副画素を含み、前記データ処理部は、前記出力画像データを前記副画素にそれぞれ割り当てることを特徴とする。
前記副画素は、横方向に配列されていることを特徴とする。
前記副画素は、縦方向に配列されていることを特徴とする。
前記出力階調は、前記入力階調より大きい値を有する上位出力階調と、前記入力階調より小さい値を有する下位出力階調とを含み、前記出力画像データは、前記上位出力階調を有する上位出力画像データと、前記下位出力階調を有する下位出力画像データとを含むことを特徴とする。
複数の階調電圧を生成する階調電圧生成部をさらに有し、前記データ駆動部は、前記複数の階調電圧の中から前記出力画像データに対応する複数の階調電圧を選択し、前記データ電圧として前記画素に印加することを特徴とする。
前記出力画像データのフレーム周波数は、前記入力画像データのフレーム周波数の２倍であることを特徴とする。
【０００９】
前記データ電圧は、前記下位出力画像データに対応する下位階調電圧である下位データ電圧と、前記上位出力画像データに対応する上位階調電圧である上位データ電圧とを含むことを特徴とする。
前記下位データ電圧または前記上位データ電圧が連続して印加され、各フレーム毎に極性が反転することを特徴とする。
前記下位データ電圧と前記上位データ電圧が交互に印加され、２フレーム毎に極性が反転することを特徴とする。
前記入力階調と前記出力階調の対応関係を記憶するルックアップテーブルをさらに有することを特徴とする。
前記データ処理部は、前記入力画像データのフレーム周波数と前記出力画像データのフレーム周波数の比率によって前記入力画像データの透過率を時間平均して時間平均透過率を求め、前記時間平均透過率に該当する補正階調を求めた後、前記補正階調に基づいて前記出力階調を算出することを特徴とする。
【００１０】
前記補正階調と前記出力階調の対応関係を記憶するルックアップテーブルをさらに有することを特徴とする。
ｋ番目区間において、前記時間平均透過率（Ｓｋ’）は、下記の数式４であることを特徴とする。
【数４】
2006011427.tif 000003
ここで、ｋ＝１、２、・・・であり、ｋ番目区間は、前記入力画像データのフレームの開始と前記出力画像データのフレームの開始が一致する時点から次の一致する時点までの範囲内のｋ番目区間であり、ｋ番目区間の長さは、前記出力画像データの２フレームの区間であって、ｘ＝２ｐ／ｑであり（ここで、ｐとｑは、各々入力画像データのフレーム周波数と出力画像データのフレーム周波数を比率で示したものである。）、Ｓｋは、前記入力画像データのフレームの開始と前記出力画像データのフレームの開始が一致する時点からｋ番目フレームの入力画像データの透過率である。
【００１１】
上記目的を達成するためになされた本発明による表示装置の駆動方法は、ルックアップテーブルを有する表示装置を駆動する方法であって、入力階調を有する画像データを読み出す段階と、前記入力階調の透過率を所定時間平均して補正階調を求める段階と、前記補正階調に対応する複数の出力階調を前記ルックアップテーブルから呼び出す段階と、前記複数の出力階調を有する複数の出力画像データを出力する段階とを有することを特徴とする。
【００１２】
前記補正階調を算出する段階は、前記入力階調をガンマ変換して対応する前記入力階調の透過率を求める段階と、前記入力階調の透過率を時間平均して時間平均透過率を求める段階と、前記時間平均透過率を逆ガンマ変換して補正階調を求める段階とを有することを特徴とする。
ｋ番目区間において、前記時間平均透過率（Ｓｋ’）は、下記の数式５であることを特徴とする。
【数５】
2006011427.tif 000004
ここで、ｋ＝１、２、・・・であり、ｋ番目区間は、前記入力画像データのフレームの開始と前記出力画像データのフレームの開始が一致する時点から次の一致する時点までの範囲内のｋ番目区間であり、ｋ番目区間の長さは、前記出力画像データの２フレームの区間であって、ｘ＝２ｐ／ｑであり（ここで、ｐとｑは、各々入力画像データのフレーム周波数と出力画像データのフレーム周波数を比率で示したものである。）、Ｓｋは、前記入力画像データのフレームの開始と前記出力画像データのフレームの開始が一致する時点からｋ番目フレームの入力画像データの透過率である。
【００１３】
上記目的を達成するためになされた本発明による表示装置は、スイッチング素子をそれぞれ備える複数の画素と、前記スイッチング素子にゲート信号を伝達する複数のゲート線と、前記スイッチング素子に接続された複数のデータ線と、外部からの入力画像データの入力階調に基づいて複数の出力階調を選択し、該当出力階調を有する複数の出力画像データを送る信号制御部と、前記信号制御部からの前記出力画像データに対応するデータ電圧を前記データ線を通じて前記スイッチング素子に印加するデータ駆動部とを有し、前記複数の出力階調は、平均正面透過率が前記入力階調の正面透過率と実質的に同じである少なくとも一つの階調群のうち、平均側面ガンマ曲線を正面ガンマ曲線に最も近接させる組み合わせであることを特徴とする。
【００１４】
前記各画素は、横方向に配列され前記スイッチング素子をそれぞれ備える複数の副画素を含み、前記副画素は、一つの入力階調に対する前記複数のデータ電圧がそれぞれ印加されることを特徴とする。
前記信号制御部は、前記入力階調と出力階調の対応関係を記憶するルックアップテーブルを有することを特徴とする。
前記信号制御部は、前記入力画像データのフレーム周波数と前記出力画像データのフレーム周波数の比率によって前記入力画像データの透過率を時間平均して時間平均透過率を求め、前記時間平均透過率に該当する補正階調を求めた後、前記補正階調に基づいて前記出力階調を算出することを特徴とする。
前記信号制御部は、前記補正階調と出力階調の対応関係を記憶するルックアップテーブルを有することを特徴とする。
【００１５】
ｋ番目区間において、前記時間平均透過率（Ｓｋ’）は、下記の数式６であることを特徴とする。
【数６】
2006011427.tif 000005
ここで、ｋ＝１、２、・・・であり、ｋ番目区間は、前記入力画像データのフレームの開始と前記出力画像データのフレームの開始が一致する時点から次の一致する時点までの範囲内のｋ番目区間であり、ｋ番目区間の長さは、前記出力画像データの２フレームの区間であって、ｘ＝２ｐ／ｑであり（ここで、ｐとｑは、各々入力画像データのフレーム周波数と出力画像データのフレーム周波数を比率で示したものである。）、Ｓｋは、前記入力画像データのフレームの開始と前記出力画像データのフレームの開始が一致する時点からｋ番目フレームの入力画像データの透過率である。
【発明の効果】
【００１６】
本発明による表示装置の駆動装置及びその駆動方法、並びに表示装置によれば、入力階調を時間平均透過率に基づいて正面ガンマ曲線と類似する形態の側面ガンマ曲線を形成する一組の下位出力階調及び上位出力階調に変換し、画素に割り当てることによって、正面と側面からの視認性の差による画質悪化が減少するという効果がある。
【発明を実施するための最良の形態】
【００１７】
次に、本発明に係る表示装置の駆動装置及びその駆動方法、並びに表示装置を実施するための最良の形態の具体例を図面を参照しながら説明する。
図面は、各種層及び領域を明確に表現するために、厚さを拡大して示している。明細書全体を通じて類似した部分については同一な図面符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【実施例１】
【００１８】
図１は、本発明の第１の実施例による液晶表示装置のブロック図であり、図２は、本発明の第１の実施例による液晶表示装置の一画素に対する等価回路図である。
図１及び図２に示すように、本発明の第１の実施例による液晶表示装置は、液晶表示板組立体３００、及びこれに接続されたゲート駆動部４００とデータ駆動部５００、データ駆動部５００に接続された階調電圧生成部８００、並びにこれらを制御する信号制御部６００を有する。
液晶表示板組立体３００は、等価回路（図２参照）によれば、複数の表示信号線（Ｇ１−Ｇｎ、Ｄ１−Ｄｍ）と、これに接続され略行列状に配列された複数の画素とを含む。
表示信号線（Ｇ１−Ｇｎ、Ｄ１−Ｄｍ）は、ゲート信号（走査信号とも言う。）を伝達する複数のゲート線（Ｇ１−Ｇｎ）と、データ信号を伝達するデータ線（Ｄ１−Ｄｍ）とを含む。ゲート線（Ｇ１−Ｇｎ）は、略行方向に延びて互いに略平行であり、データ線（Ｄ１−Ｄｍ）は、略列方向に延びて互いに略平行である。
【００１９】
各画素は、表示信号線（Ｇ１−Ｇｎ、Ｄ１−Ｄｍ）に接続されたスイッチング素子（Ｑ）と、これに接続された液晶キャパシタ（ＣＬＣ）及びストレージキャパシタ（ＣＳＴ）を含む。ストレージキャパシタ（ＣＳＴ）は、必要に応じて省略することができる。
薄膜トランジスタ等のスイッチング素子（Ｑ）は、下部表示板１００に具備されており、三端子素子であってその制御端子及び入力端子は、それぞれゲート線（Ｇ１−Ｇｎ）及びデータ線（Ｄ１−Ｄｍ）に接続され、出力端子は、液晶キャパシタ（ＣＬＣ）及びストレージキャパシタ（ＣＳＴ）に接続されている。
液晶キャパシタ（ＣＬＣ）は、下部表示板１００の画素電極１９０及び上部表示板２００の共通電極２７０を二つの端子とし、二つの電極１９０、２７０の間の液晶層３は誘電体として機能する。画素電極１９０は、スイッチング素子（Ｑ）に接続されており、共通電極２７０は、上部表示板２００の全面に形成され共通電圧（Ｖｃｏｍ）の印加を受ける。
【００２０】
図２とは異なって、共通電極２７０が下部表示板１００に備わることもあり、その場合、二つの電極１９０、２７０のうちの少なくとも一つは線形または棒形に作られる。
液晶キャパシタ（ＣＬＣ）の補助的な役割をするストレージキャパシタ（ＣＳＴ）は、下部表示板１００に具備された別の信号線（図示せず）と画素電極１９０が絶縁体を介在して重畳してなり、上記別の信号線には、共通電圧（Ｖｃｏｍ）などの定められた電圧が印加される。しかし、ストレージキャパシタ（ＣＳＴ）は、画素電極１９０が絶縁体を媒介としてすぐ上の前段ゲート線と重畳してなることもできる。
【００２１】
一方、色表示を実現するため、各画素が三原色のうちの一つを固有に表示したり（空間分割）、各画素が時間によって交互に三原色を表示する（時間分割）ようにして、三原色の空間的、時間的な和で所望の色相が認識されるようにする。図２は、空間分割の一例であって、各画素が画素電極１９０に対応する上部表示板２００の領域に赤色、緑色、または青色のカラーフィルタ２３０を備えている様子を示している。図２とは異なって、カラーフィルタ２３０は、下部表示板１００の画素電極１９０の上または下に形成することもできる。
液晶表示板組立体３００の二つの表示板１００、２００のうちの少なくとも一つの外側面には、光を偏光する偏光子（図示せず）が付着されている。
【００２２】
再び図１を参照すれば、階調電圧生成部８００は、画素の透過率に関連する二組の複数階調電圧を生成する。このうち一組は共通電圧（Ｖｃｏｍ）に対し正値を有し、もう一組は負値を有する。
ゲート駆動部４００は、液晶表示板組立体３００のゲート線（Ｇ１−Ｇｎ）に連結され、外部からのゲートオン電圧（Ｖｏｎ）とゲートオフ電圧（Ｖｏｆｆ）の組み合わせからなるゲート信号をゲート線（Ｇ１−Ｇｎ）に印加し、複数の集積回路からなる。
データ駆動部５００は、液晶表示板組立体３００のデータ線（Ｄ１−Ｄｍ）に連結され、階調電圧生成部８００からの階調電圧を選択してデータ信号として画素に印加し、複数の集積回路からなる。
【００２３】
複数のゲート駆動集積回路またはデータ駆動集積回路は、チップの形態でＴＣＰ（Ｔａｐｅ  Ｃａｒｒｉｅｒ  Ｐａｃｋａｇｅ）（図示せず）に実装してＴＣＰを液晶表示板組立体３００に付着することもでき、ＴＣＰを用いずガラス基板上に前記集積回路を直接付着することができる（ｃｈｉｐ  ｏｎ  ｇｌａｓｓ：ＣＯＧ実装方式）。さらに、上記集積回路のような機能を有する回路を画素の薄膜トランジスタと共に液晶表示板組立体３００に直接形成することもできる。
信号制御部６００は、ゲート駆動部４００及びデータ駆動部５００などの動作を制御し、データ処理部６０１及びルックアップテーブル６０２を含む。データ処理部６０１は、外部から入力され入力階調を有する入力画像データ（Ｒ、Ｇ、Ｂ）をルックアップテーブル６０２を用いて、入力階調以下の階調のうちの一つの階調（以下、下位出力階調と言う。）を有する下位出力画像データと入力階調以上の階調のうちの一つの階調（以下、上位出力階調と言う。）を有する上位出力画像データに変換する。
【００２４】
以下、上述したような液晶表示装置の動作について詳細に説明する。
信号制御部６００は、外部のグラフィック制御部（図示せず）から入力画像信号（Ｒ、Ｇ、Ｂ）及びその表示を制御する入力制御信号、例えば垂直同期信号（Ｖｓｙｎｃ）と水平同期信号（Ｈｓｙｎｃ）、メーンクロック（ＭＣＬＫ）、データイネーブル信号（ＤＥ）などの提供を受ける。信号制御部６００の入力画像信号（Ｒ、Ｇ、Ｂ）及び入力制御信号に基づいて、入力画像信号（Ｒ、Ｇ、Ｂ）を液晶表示板組立体３００の動作条件に合わせて適切に処理し、ゲート制御信号（ＣＯＮＴ１）及びデータ制御信号（ＣＯＮＴ２）などを生成した後、ゲート制御信号（ＣＯＮＴ１）をゲート駆動部４００に送り、データ制御信号（ＣＯＮＴ２）及び処理した画像信号（ＤＡＴ）をデータ駆動部５００に送る。
信号制御部６００のデータ処理には、入力画像データ（Ｒ、Ｇ、Ｂ）の入力階調に基づいて、ルックアップテーブル６０２に保存されている下位出力階調及び上位出力階調を選択し、これを空間分割方式や時間分割方式で画素に割り当てることによって出力画像データを生成することが含まれる。空間分割方式及び時間分割方式に関しては、後に詳細に説明する。
【００２５】
ゲート制御信号（ＣＯＮＴ１）は、フレームの開始を知らせる垂直同期開始信号（ＳＴＶ）、ゲートオン電圧（Ｖｏｎ）の出力時期を制御するゲートクロック信号（ＣＰＶ）、及びゲートオン電圧（Ｖｏｎ）の持続時間を限定する出力イネーブル信号（ＯＥ）などを含む。
データ制御信号（ＣＯＮＴ２）は、画像データ（ＤＡＴ）の伝送開始を知らせる水平同期開始信号（ＳＴＨ）、データ線（Ｄ１−Ｄｍ）に該当データ電圧の印加を指示するロード信号（ＴＰ）、共通電圧（Ｖｃｏｍ）に対するデータ電圧の極性（以下、共通電圧に対するデータ電圧の極性を略してデータ電圧の極性と言う。）を反転させる反転信号（ＲＶＳ）及びデータクロック信号（ＨＣＬＫ）などを含む。
データ駆動部５００は、信号制御部６００からのデータ制御信号（ＣＯＮＴ２）によって一行の画素に対する画像データ（ＤＡＴ）を順に受信しシフトさせ、階調電圧生成部８００からの階調電圧のうちの各画像データ（ＤＡＴ）に対応する階調電圧を選択することによって画像データ（ＤＡＴ）を該当データ電圧に変換した後、これを該当するデータ線（Ｄ１−Ｄｍ）に印加する。
ゲート駆動部４００は、信号制御部６００からのゲート制御信号（ＣＯＮＴ１）によってゲートオン電圧（Ｖｏｎ）をゲート線（Ｇ１−Ｇｎ）に順に印加して、該ゲート線（Ｇ１−Ｇｎ）に接続されたスイッチング素子（Ｑ）を導通させ、これによってデータ線（Ｄ１−Ｄｍ）に印加されたデータ電圧が導通されたスイッチング素子（Ｑ）を通じて該当する画素に印加される。
【００２６】
画素に印加されたデータ電圧と共通電圧（Ｖｃｏｍ）との差は、液晶キャパシタ（ＣＬＣ）の充電電圧、つまり画素電圧として表れる。液晶分子は、画素電圧の大きさに応じてその配列を異ならせ、これによって液晶層３を通過する光の偏光が変化する。かかる偏光の変化は、表示板１００、２００に付着された偏光子（図示せず）によって光透過率の変化として表れる。
１水平周期（または１Ｈ）［水平同期信号（Ｈｓｙｎｃ）、データイネーブル信号（ＤＥ）、及びゲートクロック（ＣＰＶ）の一周期］が経過すると、データ駆動部５００及びゲート駆動部４００は、次行の画素に対して同じ動作を繰り返す。前記方法で、１フレーム（ｆｒａｍｅ）期間中に全てのゲート線（Ｇ１−Ｇｎ）に対し順にゲートオン電圧（Ｖｏｎ）を印加して全ての画素にデータ電圧を印加する。１フレームが終了すれば次のフレームが開始され、各画素に印加されるデータ電圧の極性が直前フレームでの極性と逆になるようデータ駆動部５００に印加される反転信号（ＲＶＳ）の状態が制御される（フレーム反転）。この時、１フレーム内でも反転信号（ＲＶＳ）の特性によって一つのデータ線を通じて流れるデータ電圧の極性が変わったり（行反転、点反転）、１画素行に印加されるデータ電圧の極性も互いに異なることができる（列反転、点反転）。
【００２７】
以下、図１、図３乃至６を参照して、本発明の第１の実施例による信号制御部６００のデータ処理部６０１のデータ変換について説明する。
１．階調変換の原則
まず、図３を参照して、ルックアップテーブル６０２に記憶されている階調変換の原則について詳細に説明する。
図３は、本発明の第１の実施例による補正前の正面ガンマ曲線と側面ガンマ曲線、及び補正後の正面ガンマ曲線と側面ガンマ曲線を示したグラフである。
図３の示すように、各階調に対する正面と側面からの透過率を測定し、正面からのガンマ曲線（Ｃｆ）と側面からのガンマ曲線（Ｃｓ）を得る。次に、各階調に対し、該階調より低い下位階調と、該階調より高い上位階調の組み合わせのうち、下位階調の正面透過率と上位階調の正面透過率の平均（以下、正面平均透過率と言う。）が本来の階調の正面透過率と同じで、正面ガンマ曲線（Ｃｆ）と同じ形態の平均正面ガンマ曲線（Ｃｆ’）を形成する下位階調と上位階調の組み合わせを探す。
【００２８】
また、上記で得られた複数の階調の組み合わせの中から、下位階調の側面透過率及び上位階調の側面透過率の平均（以下、側面平均透過率と言う）を算出して、正面ガンマ曲線と最も類似する形態の平均側面ガンマ曲線（Ｃｓ’）を形成する側面平均透過率を有する一組の階調を選択する。要するに、正面平均透過率が本来の階調の正面透過率と同じである複数の上位階調と下位階調の組み合わせの中から側面からのガンマ曲線歪曲が最も小さい組み合わせを選ぶわけである。
【００２９】
上述のように、各階調に対し正面ガンマ曲線と最も類似する形態の平均側面ガンマ曲線（Ｃｓ’）を形成する一組の下位階調と上位階調を求めた後、これを下位出力階調及び上位出力階調として本来の階調の関数にしてルックアップテーブル６０２に記憶させる。
各階調毎に得られた下位出力階調及び上位出力階調の一例を下記の表１に示す。表１に示す階調の総数は６４階調である。
【表１】
2006011427.tif 000006
これとは異なって、一つの階調を三つ以上の出力階調に変換することができ、この場合、前記階調の正面平均透過率は、本来の階調の正面透過率と同一であり、側面平均透過率による平均側面ガンマ曲線は、正面ガンマ曲線と類似する形態を有する。ここで、各出力階調が互いに異なる値を有したり、二つ以上の出力階調が同じ値を有することができる。
【００３０】
２．出力画像データの割り当て
入力画像データ（Ｒ、Ｇ、Ｂ）に応じてルックアップテーブル６０２から複数の出力階調を選択し、画素に割り当てる方法について説明する。
２．１  空間分割方式
まず、図４を参照して、空間分割方式について詳細に説明する。
図４は、画素の配置を示した図であり、図４（ａ）は、一般の画素配置を示しており、図４（ｂ）は、本発明の第１の実施例によって一つの画素を二つの副画素に分割した副画素の配置を示したものである。
空間分割方式とは、一つの画素を二つの副画素に分けた後、該当画素に対する入力画像データを下位出力階調を有する下位出力画像データと、上位出力階調を有する上位出力画像データとに変換し、二つの副画素にそれぞれ割り当てるものである。
【００３１】
例えば、図４（ａ）及び図４（ｂ）に示すように、一つの画素Ｐｘ１、Ｐｘ２、Ｐｘ３を２つの副画素ＳＰｘ１１及びＳＰｘ１２、ＳＰｘ２１及びＳＰｘ２２、ＳＰｘ３１及びＳＰｘ３２に分ける。この場合、液晶表示板組立体３００上には、各副画素ＳＰｘ１１、ＳＰｘ１２、ＳＰｘ２１、ＳＰｘ２２、ＳＰｘ３１、ＳＰｘ３２に接続される別のゲート線を追加的に設ける必要があるためゲート線数は２倍に増え、フレーム周波数も２倍に増加する。
これに対し、一つの画素を縦に分割することもできるが、そうするとデータ線の個数が２倍に増加する。この時、信号制御部６００からデータ駆動部５００に提供されるデータクロック信号（ＨＣＬＫ）の周波数が２倍になる。
一つの階調を三つ以上の出力階調に変換する場合、一つの画素は、縦方向若しくは横方向に三つ以上の副画素に分割できるが、この場合、フレーム周波数やデータクロック信号（ＨＣＬＫ）の周波数も分割された副画素の数に応じて増加する。
【００３２】
２．２  時間分割方式
時間分割方式とは、入力画像データのフレーム周波数（以下、入力フレーム周波数と言う。）と、出力画像データのフレーム周波数（以下、出力フレーム周波数と言う。）とを異ならせ、これら周波数の比率によって各画素に対する複数の出力画像データを求め、これを互いに異なるフレームに割り当てるものである。以下、例を挙げて説明する。
２．２．１  出力フレーム周波数が入力フレーム周波数の２倍である場合
前記時間分割方式の一例として、出力フレーム周波数を入力フレーム周波数の２倍に増加させるものである。図５を参照して詳細に説明する。
図５は、各画素に印加されるデータ信号の波形図であり、図５（ａ）は、フレーム周波数が６０Ｈｚである変換前のデータ信号の波形図であり、図５（ｂ）は、フレーム周波数が１２０Ｈｚである変換後のデータ信号の波形図である。
【００３３】
図５（ａ）及び図５（ｂ）に示すように、入力フレーム周波数が約６０Ｈｚである場合、出力フレーム周波数がその２倍である約１２０Ｈｚである時、各画素に対し入力画像データの入力階調に対する上位及び下位出力階調を求め、該当する上位及び下位出力画像データを１フレームに１回ずつ割り当てる。
一例として、図５（ｂ）のように、第１フレームには画素に上位出力画像データを割り当て、第２フレームには画素に下位出力画像データを割り当てる。逆に、下位出力画像データを第１フレームに割り当て、上位出力画像データを次のフレームに割り当てることもできる。さらに、その他の割り当て順に下位出力画像データ及び上位出力画像データを画素に割り当てることもできる。
【００３４】
上述したように、出力フレーム周波数が入力フレーム周波数の２倍である場合、特別な処理なしに入力画像データの入力階調に対応する上位及び下位出力階調をルックアップテーブル６０２で求め、該当する出力画像データをフレーム毎に割り当てれば良い。
出力フレーム周波数が入力フレーム周波数の２倍である時以外に、偶数倍である時にも、同様の方法で下位及び上位出力画像データを画素に割り当てることができる。しかし、この場合には、複数フレームにおいて同一の下位出力画像データ及び同一の上位出力画像データが画素に割り当てられる。
【００３５】
２．２．２  出力フレーム周波数が入力フレーム周波数の２倍ではない場合
出力フレーム周波数が入力フレーム周波数の２倍でない場合には、入力画像データの透過率を出力フレーム周波数及び入力フレーム周波数の比率によって時間平均し、該時間平均透過率に該当する階調に基づいてルックアップテーブル６０２で複数の出力階調を求め、これをフレーム毎に割り当てる。
上述の時間分割方式では、上位及び下位出力画像データをそれぞれ１フレームに割り当てるべきであり、上位及び下位出力画像データの２フレーム区間における入力画像データの透過率を時間平均する。その後、時間平均した透過率（以下、時間平均透過率と言う。）に該当する階調を求め、該階調に対応する上位及び下位出力階調をルックアップテーブル６０２で探す。
上述の例として、図６、図７を参照して、フレーム周波数を約６０Ｈｚから８０Ｈｚに４／３倍増加させる場合と、約６０Ｈｚから９０Ｈｚに３／２倍増加させる場合について詳細に説明する。
【実施例２】
【００３６】
図６は、本発明の第１の実施例によってフレーム周波数が６０Ｈｚである入力画像データをフレーム周波数が８０Ｈｚである下位及び上位出力画像データに変換する原理を示した図であり、図６（ａ）は、入力画像データ透過率を示した図であり、図６（ｂ）は、出力画像データの透過率の例を示した図である。
図７は、本発明の第２の実施例によってフレーム周波数が６０Ｈｚである入力画像データをフレーム周波数が９０Ｈｚである下位及び上位出力画像データに変換する原理を示した図で、図７（ａ）は、６０Ｈｚの入力画像データの透過率を示した図であり、図７（ｂ）は、出力画像データの透過率の例を示した図である。
図６及び図７に示すように、全体の時間を下位及び上位出力画像データの２フレームに該当する時間区間に分ける。
図６で、入力画像データと出力画像データのフレーム周波数の比率が３：４であるので、入力画像データの３ｋ＋１（ｋ＝０、１、・・・）番目フレームの開始と、出力画像データの４ｋ＋１番目フレームの開始が一致し、これによって各区間は、２種類つまり入力画像データのフレーム（以下、入力フレーム）と同時に開始する区間Ｔ１と、入力フレームの中間から開始する区間Ｔ２に分けることができる。
【００３７】
区間Ｔ１において、全体時間の２／３では透過率がＳ３ｋ＋１であり、残りの１／３では透過率がＳ３ｋ＋２であり、区間Ｔ１における入力画像データの時間平均透過率Ｓ２ｋ＋１’は、下記の数式７である。
【数７】
2006011427.tif 000007
【００３８】
同様にして、区間Ｔ２における入力画像データの時間平均透過率Ｓ２ｋ＋２’は、下記の数式８である。
【数８】
2006011427.tif 000008
図７の場合、入力画像データと出力画像データのフレーム周波数の比率が２：３であるので、入力画像データの４ｋ＋１（ｋ＝０、１、・・・）番目フレームの開始と出力画像データの６ｋ＋１番目フレームの開始が一致し、これによって各区間は、３種類つまり入力フレームと同時に開始する区間Ｔ１、入力フレームの１／３地点から開始する区間Ｔ２、及び入力フレームの２／３地点から開始する区間Ｔ３に分けることができる。
【００３９】
区間Ｔ１において、全体時間の３／４では透過率がＳ４ｋ＋１であり、残りの１／４では透過率がＳ４ｋ＋２であり、区間Ｔ１における入力画像データの時間平均透過率Ｓ３ｋ＋１’は、下記の数式９である。
【数９】
2006011427.tif 000009
【００４０】
同様に、区間Ｔ２において、全体時間の１／２では透過率がＳ４ｋ＋２であり、残りの１／２では透過率がＳ４ｋ＋３であり、区間Ｔ２における入力画像データの時間平均透過率Ｓ３ｋ＋２’は、下記の数式１０である。
【数１０】
2006011427.tif 000010
【００４１】
最後に、区間Ｔ３において、全体時間の１／４では透過率がＳ４ｋ＋３であり、残りの３／４では透過率がＳ４ｋ＋４であり、区間Ｔ３における入力データの時間平均透過率Ｓ３ｋ＋３’は、下記の数式１１である。
【数１１】
2006011427.tif 000011
【００４２】
次に、図８を参照して上述したものを一般化してみる。
図８は、出力フレーム周波数が入力フレーム周波数の２倍でない場合、下位及び上位出力画像データの２フレーム区間における時間平均透過率を求める原理を示した図で、図８（ａ）は、入力画像データの透過率であり、図８（ｂ）は、各区間で求められた時間平均透過率と、これに応じた下位出力階調及び上位出力階調の例を示した図である。
入力フレーム周波数と出力フレーム周波数の比率をｐ：ｑとし、ｐ＜ｑ＜２ｐとする。即ち、出力フレーム周波数が入力フレーム周波数に比べて大きいが、その２倍よりは小さいものとする。二つの出力フレームに該当する入力フレームの数（ｘ）はｐ：ｑ＝ｘ：２であり、ｘ＝２ｐ／ｑである。
ｐ＜ｑ＜２ｐであるので、１＜ｘ＜２、つまり二つの出力フレームに対応する入力フレームの数は一つから二つの間であり、ｘを各区間の長さと見なしても良い。
【００４３】
第１の区間Ｔ１において、全体区間の長さｘのうち１に該当する区間長さの透過率はＳ１であり、残りのｘ−１に該当する区間長さの透過率はＳ２であり、第１の区間Ｔ１における時間平均透過率Ｓ１’は、下記の数式１２のとおりである。
【数１２】
2006011427.tif 000012
【００４４】
第２の区間Ｔ２において、区間の長さｘのうち、［１−（ｘ−１）］＝２−ｘに該当する区間長さの透過率はＳ２であり、残りのｘ−（２−ｘ）＝２ｘ−２に該当する区間長さの透過率はＳ３であり、第２の区間Ｔ２における時間平均透過率Ｓ２’は、下記の数式１３のとおりである。
【数１３】
2006011427.tif 000013
【００４５】
第３の区間Ｔ３において、全体区間の長さｘのうち［１−（２ｘ−２）］＝（３−２ｘ）に該当する区間長さの透過率はＳ３であり、残りのｘ−（３−２ｘ）＝３ｘ−３に該当する区間長さの透過率はＳ４であり、第３の区間Ｔ３における時間平均透過率Ｓ３’は、下記の数式１４のとおりである。
【数１４】
2006011427.tif 000014
【００４６】
上述した方法で、ｋ番目区間（Ｔｋ）における時間平均透過率（Ｓｋ’）を求めると下記の数式１５のとおりである。
【数１５】
2006011427.tif 000015
ここで、ｋ番目区間（Ｔｋ）とは、前述した区間定義のように、入力フレームの開始と出力フレームの開始が一致する時点から次の一致する時点までの範囲内のｋ番目区間を意味する。
【００４７】
こうして得られた時間平均透過率に対応する階調を求め、該階調に対応する上位及び下位出力階調をルックアップテーブル６０２で探す。
一方、各区間の長さは、出力画像データの３フレーム以上とすることができるが、特に一つの階調を三つ以上の出力階調に変換する時にそうである。
【００４８】
次に、図１、図９、図１０を参照して、前述したような、入力画像データを下位及び上位出力画像データに変換して送る信号制御部６００のデータ処理部６０１の動作について説明する。
図９は、出力フレーム周波数が入力フレーム周波数の４／３倍である図６の場合のデータ変換過程を示すフローチャートであり、図１０は、出力フレーム周波数が入力フレーム周波数の３／２である図７の場合のデータ変換過程を示すフローチャートである。
まず、図６及び図９を参照して、出力フレーム周波数が８０Ｈｚであって６０Ｈｚの入力フレーム周波数の４／３である場合のデータ処理部６０１のデータ変換過程について説明する。
【００４９】
まず、信号制御部６００のデータ処理部６０１の動作が開始すれば（ステップＳ１０）、変数を初期化し（ステップＳ１１）、フレームメモリ（図示せず）に記憶されたり、外部から入る隣接した２フレームの画像データｄ（Ｎ）、ｄ（Ｎ＋１）を読み出す（ステップＳ１２）。（ここでＮは、入力画像データのフレーム番号である。）
データ処理部６０１は、読み出した入力画像データｄ（Ｎ）、ｄ（Ｎ＋１）をガンマ変換し、対応する透過率Ｓ（Ｎ）、Ｓ（Ｎ＋１）を探す（ステップＳ１３）。
次に、データ処理部６０１は、入力画像データｄ（Ｎ）のフレーム（Ｎ）が図６の区間のうちどの区間に属するかを判断する。即ち、入力画像データｄ（Ｎ）のフレームが３ｋ＋１であるか否かを判断する（ステップＳ１４）。
入力画像データｄ（Ｎ）のフレーム（Ｎ）が３ｋ＋１である場合、データ処理部６０１は、式１による時間平均透過率（Ｙ）を算出する（ステップＳ１５）。
しかし、入力画像データｄ（Ｎ）のフレーム（Ｎ）が３ｋ＋１でない場合、データ処理部６０１は、式２による時間平均透過率（Ｙ）を算出する（ステップＳ１６）。
【００５０】
時間平均透過率（Ｙ）を得た後、データ処理部６０１は、時間平均透過率（Ｙ）を逆ガンマ変換し対応する階調（Ｘ）を求め（ステップＳ１７、ステップＳ２０）、該階調（Ｘ）に対応する上位出力階調（Ｘ’ｕｐｐｅｒ）及び下位出力階調（Ｘ’ｌｏｗｅｒ）をルックアップテーブル６０２で探す（ステップＳ１８、ステップＳ２１）。
次に、データ処理部６０１は、上位出力階調（Ｘ’ｕｐｐｅｒ）及び下位出力階調（Ｘ’ｌｏｗｅｒ）を有する画像データを上位出力画像データ及び下位出力画像データとしてデータ駆動部５００に出力し、Ｎ値を１または２増加させ（ステップＳ１９、ステップＳ２２）、後の区間におけるデータ変換を実施する。
ここで、Ｎ値を１増加させるのは、入力画像データｄ（Ｎ）のフレーム（Ｎ）が３ｋ＋１の場合であり、Ｎ値を２増加させるのは、入力画像データｄ（Ｎ）のフレーム（Ｎ）が３ｋ＋２の場合である。
【００５１】
次に、図７及び図１０を参照して、出力フレーム周波数が９０Ｈｚであって６０Ｈｚの入力フレーム周波数の３／２である場合のデータ処理部６０１のデータ変換過程について説明する。
データ処理部６０１の動作が開始された後（ステップＳ３０）、ステップ（ステップＳ３１乃至ステップＳ３３）の動作は、図６及び図７を参照して説明したステップ（ステップＳ１１乃至ステップＳ１３）の動作と同様であり、ステップ（Ｓ３１−Ｓ３３）に関する詳細な説明は省略する。
読み出した入力画像データｄ（Ｎ）、ｄ（Ｎ＋１）の透過率Ｓ（Ｎ）、Ｓ（Ｎ＋１）を求めた後、データ処理部６０１は、前記入力画像データｄ（Ｎ）のフレーム（Ｎ）が図７の区間のうちどの区間に属するかを判断する。即ち、入力画像データｄ（Ｎ）のフレームが４ｋ＋１であるか否かを判断する（ステップＳ３４）。
入力画像データｄ（Ｎ）のフレーム（Ｎ）が４ｋ＋１である場合、データ処理部６０１は、式３によって時間平均透過率（Ｙ）を算出する（ステップＳ３５）。
しかし、入力画像データｄ（Ｎ）のフレーム（Ｎ）が４ｋ＋１がでない場合、データ処理部６０１は、入力画像データｄ（Ｎ）のフレーム（Ｎ）が４ｋ＋２に属するか否かを判断する（ステップＳ３６）。入力画像データｄ（Ｎ）のフレーム（Ｎ）が４ｋ＋２に属する場合、データ処理部６０１は、式４によって時間平均透過率（Ｙ）を算出する（ステップＳ３７）。しかし、区間４ｋ＋２にも属しない場合、データ処理部６０１は、式５によって時間平均透過率（Ｙ）を算出する（ステップＳ３８）。
【００５２】
上記のように、入力画像データｄ（Ｎ）が属する区間に適合する式で時間平均透過率（Ｙ）を求めると、データ処理部６０１は、時間平均透過率（Ｙ）を逆ガンマ変換し、対応する階調（Ｘ）を算出し（ステップＳ３９、ステップＳ４２）、該階調（Ｘ）に対応する上位出力階調（Ｘ’ｕｐｐｅｒ）及び下位出力階調（Ｘ’ｌｏｗｅｒ）をルックアップテーブル６０２で探す（ステップＳ４０、ステップＳ４３）。
次に、データ処理部６０１は、上位出力階調（Ｘ’ｕｐｐｅｒ）及び下位出力階調（Ｘ’ｌｏｗｅｒ）を有する画像データを上位出力画像データ及び下位出力画像データとしてデータ駆動部５００に出力し、Ｎ値を１または２増加させ（ステップＳ４１、ステップＳ４４）、次の区間におけるデータ変換を実施する。
Ｎ値を１増加させるのは、入力画像データｄ（Ｎ）のフレーム（Ｎ）が４ｋ＋１や４Ｋ＋２である場合であり、Ｎ値を２増加させるのは、入力画像データｄ（Ｎ）のフレーム（Ｎ）が４ｋ＋３である場合である。
【００５３】
４．下位データ信号及び上位データ信号の印加形態
上記のように、空間分割方式や時間分割方式によって定められた複数の出力画像データは、データ駆動部５００で階調電圧生成部８００からの階調電圧の中からそれぞれ対応する階調電圧に変換され、複数の上位データ信号としてデータ線（Ｄ１−Ｄｍ）を通じて各画素に印加される。データ信号の極性は、反転信号（ＲＶＳ）によって定められる。
以下、複数のデータ信号をデータ線を通じて画素に印加する方法の例について、図１１乃至図１３を参照して詳細に説明する。
【００５４】
図１１乃至図１３は、本発明の実施例によるデータ信号の波形図であって、図１１（ａ）、図１２（ａ）及び図１３（ａ）は、本発明の実施例による奇数番目データ線に印加されるデータ信号の波形図であり、図１１（ｂ）、図１２（ｂ）及び図１３（ｂ）は、本発明の実施例による偶数番目データ線に印加されるデータ信号の波形図である。
図１１（ａ）に示すように、奇数番目データ線には、２フレーム毎に上位出力画像データに対応する上位データ信号と、下位出力画像データに対応する下位データ信号を印加され、各フレーム毎にデータ信号の極性が反転する。また、図１１（ｂ）のように、偶数番目データ線には、奇数番目データ線の場合とは逆に２フレーム毎に下位データ信号と上位データ信号が印加され、同様に、各フレーム毎にデータ信号の極性が反転する。前述の印加方式によれば、データ信号の極性が各フレーム毎に反転し、データ信号の平均電圧が所定周期毎に０Ｖとなり、残像問題が減少する。
【００５５】
次に、図１２（ａ）及び１２（ｂ）で、２フレームに一対の上位データ信号と下位データ信号が印加され、データ信号の極性は２フレーム毎に反転する。この時、偶数番目データ線及び奇数番目データ線に印加される上位データ信号と下位データ信号の印加順は互いに逆である。このようにすれば、該当データ線を通じて印加されるデータ電圧が各フレーム毎に上位データ信号（または下位データ電圧）から下位データ信号（または上位データ電圧）に変わり、フリッカーに対する画質の悪化が著しく減少する。
図１３（ａ）及び１３（ｂ）に示した、また他の印加方式では、上位データ信号を２フレームにわたって連続印加し、次の１フレームには下位データ信号を印加し、極性は各フレーム毎に反転する。このようにすれば、各フレーム毎にデータ信号の平均電圧が０Ｖとなり、残像による画質悪化が減少する。
以上のように、入力階調を時間平均透過率に基づいて正面ガンマ曲線と類似する形態の側面ガンマ曲線を形成する一組の下位出力階調及び上位出力階調に変換し、画素に割り当てることによって、正面と側面からの視認性の差による画質悪化が減少する。
【００５６】
尚、本発明は、上述の実施例に限られるものではない。本発明の技術的範囲から逸脱しない範囲内で多様に変更実施することが可能である。
【図面の簡単な説明】
【００５７】
【図１】本発明の第１の実施例による液晶表示装置のブロック図である。
【図２】本発明の第１の実施例による液晶表示装置の一画素に対する等価回路図である。
【図３】本発明の第１の実施例による正面ガンマ曲線と側面ガンマ曲線、及び平均正面ガンマ曲線と平均側面ガンマ曲線を示したグラフである。
【図４】一般画素の配置及び本発明の第１の実施例による副画素の配置を示した図である。
【図５】本発明の第１の実施例による各画素に印加されるデータ信号の波形図である。
【図６】本発明の第１の実施例によるフレーム周波数が６０Ｈｚである入力画像データをフレーム周波数が８０Ｈｚである下位及び上位出力画像データに変換する原理を示した図である。
【図７】本発明の第２の実施例によるフレーム周波数が６０Ｈｚである入力画像データをフレーム周波数が９０Ｈｚである下位及び上位出力画像データに変換する原理を示した図である。
【図８】本発明の実施例による出力フレーム周波数が入力フレーム周波数の２倍でない場合、下位及び上位出力画像データの２フレーム区間の時間平均透過率を求める一般原理を示した図である。
【図９】本発明の第１の実施例によってフレーム周波数が６０Ｈｚである入力画像データをフレーム周波数が８０Ｈｚである下位及び上位出力画像データに変換する過程を示すフローチャートである。
【図１０】本発明の第２の実施例によるフレーム周波数が６０Ｈｚである入力画像データをフレーム周波数が９０Ｈｚである下位及び上位出力画像データに変換する過程を示すフローチャートである。
【図１１】本発明の実施例によるデータ信号の波形図であり、（ａ）は奇数番目データ線に印加されるデータ信号の波形図、（ｂ）は偶数番目データ線に印加されるデータ信号の波形図である。
【図１２】本発明の実施例によるデータ信号の波形図であり、（ａ）は奇数番目データ線に印加されるデータ信号の波形図、（ｂ）は偶数番目データ線に印加されるデータ信号の波形図である。
【図１３】本発明の実施例によるデータ信号の波形図であり、（ａ）は奇数番目データ線に印加されるデータ信号の波形図、（ｂ）は偶数番目データ線に印加されるデータ信号の波形図である。
【符号の説明】
【００５８】
３          液晶層
１００、２００  表示板
１９０      画素電極
２３０      カラーフィルタ
２７０      共通電極
３００      液晶表示板組立体
４００      ゲート駆動部
５００      データ駆動部
６００      信号制御部
６０１      データ処理部
６０２      ルックアップテーブル
８００      階調電圧生成部
【図１】
2006011427.tif 000019
【図２】
2006011427.tif 000020
【図３】
2006011427.tif 000021
【図４】
2006011427.tif 000022
【図５】
2006011427.tif 000023
【図６】
2006011427.tif 000024
【図７】
2006011427.tif 000025
【図８】
2006011427.tif 000026
【図９】
2006011427.tif 000027
【図１０】
2006011427.tif 000028
【図１１】
2006011427.tif 000029
【図１２】
2006011427.tif 000030
【図１３】
2006011427.tif 000031